(57)【要約】【課題】内筒体のスライド移動を確実に規制し、具体的な施工条件に応じて長さ寸法を自在に調節することができるとともに、見た目も良い仮設足場部材、及び、これを用いた仮設足場装置を提供する。【解決手段】外筒体１０は、筒壁１１を貫通する貫通孔１４を有している。内筒体２０はガイド溝２２を有し、外筒体１０の内部にスライド可能に挿入されている。ガイド溝２２は、内筒体２０の長手方向Ｌに沿って伸び、筒壁２１の内外に開口している。圧接体３０は、止め螺子４０を螺着可能な螺子溝３１を有し、内筒体２０の内部に配置されている。止め螺子４０は、貫通孔１４から、ガイド溝２２を通って、圧接体３０に螺着されている。上述した仮設足場部材１は、例えば、足場用手すり、又は、足場用ブラケットなどであって、足場支柱６などに結合されて仮設足場装置を構成する。【選択図】図１
2008025227.tif 000002
【特許請求の範囲】
【請求項１】
外筒体と、内筒体と、圧接体と、止め螺子とを有する仮設足場部材であって、
前記外筒体は、筒壁を貫通する貫通孔を有しており、
前記内筒体は、筒壁の内外に開口するガイド溝を有し、前記外筒体の内部にスライド可能に挿入されており、
前記ガイド溝は、内筒体の長手方向に沿って伸びており、
前記圧接体は、前記止め螺子を螺着可能な螺子溝を有し、前記内筒体の内部に配置されており、
前記止め螺子は、前記外筒体の前記貫通孔から、前記ガイド溝を通って、前記圧接体に螺着されている、
仮設足場部材。
【請求項２】
請求項１に記載された仮設足場部材であって、さらに内筒体は、係止片を有しており、
前記係止片は、内筒体の長手方向の一端側において、筒壁の内周面に突出している、
仮設足場部材。
【請求項３】
請求項１又は２に記載された仮設足場部材であって、
前記外筒体は、長手方向の一端側において、長手方向に直交する径方向に向かい合う２つの貫通孔を有しており、
前記内筒体は、長手方向の一端側において、長手方向に直交する径方向に貫通孔を有しており、
前記外筒体の前記貫通孔の少なくとも一方と、内筒体の前記貫通孔とは、重なり合あうように位置決め可能である、仮設足場部材。
【請求項４】
請求項１乃至３の何れかに記載された仮設足場部材であって、
前記仮設足場部材は、手すり、布材、根がらみ、又は、足場用ブラケットの何れかである、
仮設足場部材。
【請求項５】
仮設足場部材と、足場支柱とを含む仮設足場装置であって、
前記仮設足場部材は、請求項１乃至４の何れかに記載されたものでなり、前記足場支柱に結合されている、仮設足場装置。
【発明の詳細な説明】
【技術分野】
【０００１】
本発明は、手すり、布材、ブラケット、根がらみ等の仮設足場部材、及び、これを用いた仮設足場装置に関する。
【背景技術】
【０００２】
建築工事現場等で仮設される足場装置には、特許文献１及び２に開示されているように、施工条件に応じて長さ寸法を調節可能な仮設足場部材が用いられることがある。
【０００３】
例えば、特許文献１に開示されている仮設足場部材は、所謂手すりであって、外筒内にスライド移動可能に内筒を収納し、この外筒と内筒の間には、内筒のスライド移動を規制する手段が備えられている。具体的に、特許文献１のスライド移動規制手段では、外筒に設けた貫通孔の外周面上にナットが固定され、このナットに蝶ネジが螺着されている。そして、蝶ネジを締めて、ネジ先端部を内筒の表面に圧接させることにより、この圧接部分で生じる摩擦を利用して、内筒のスライド移動が規制される。以下、説明の都合上、この種のスライド移動規制手段をネジ単純圧接型の規制手段と称する。
【０００４】
また、特許文献２に開示されている仮設足場部材は、所謂ブラケットであって、内筒のスライド移動に対して、特許文献１と同様のネジ単純圧接型の規制手段を有している。
【０００５】
特許文献１及び２に開示されているネジ単純圧接型の規制手段は、従来の落としピン型の規制手段に関する問題点を解消すべく開発されたものである。落としピン型の規制手段とは、内筒を外筒からスライド移動させる構造において、外筒及び内筒の上面にそれぞれ貫通孔を設け、２つの貫通孔が重なり合う位置で落としピンを連通させることにより、内筒と外筒とを連結固定する規制手段である。
【０００６】
このような落としピン型の規制手段では、外筒及び内筒の貫通孔が重なり合う位置でしか内筒のスライド移動を規制することができない点、外筒上に落としピンの端部が突出し、見た目が悪くなる点、さらに、外筒上に突出している落としピンの端部に、作業員の衣服や装備等が引っかかり、転落事故をおこす危険性が高い点などで問題があった。
【０００７】
これに対し、ネジ単純圧接型の規制手段では、蝶ネジの開け締め操作により、内筒のスライド移動を自由に規制することができるため、具体的な施工条件に応じて長さ寸法を無段階調節することができる。また、蝶ネジはナットに螺着されているから、ナットを外筒の下面側などに配置することにより、蝶ネジの突出部分に、作業員の衣服や装備等が引っかかる危険性を低減することができる。
【０００８】
しかし、ネジ単純圧接型の規制手段にも、以下のような問題点を有している。まず、ネジ単純圧接型の場合、ネジ先端部を内筒の表面に圧接させることにより、この圧接部分で生じる摩擦を利用して、内筒のスライド移動が規制されるから、蝶ネジを締め忘れると、内筒が外筒から抜け落ちてしまう脱落事故が生じる。
【０００９】
また、ネジ単純圧接型の場合、蝶ネジの先端部でしか摩擦が発生しないから、内筒と外筒との間の連結強度が不十分となり、内筒のスライド移動を確実に規制することができない。その結果、内筒と外筒との間でがたつきが生じるとともに、このがたつきが足場全体の揺動を招き、作業員の転落事故を誘発することとなる。
【００１０】
さらに、内筒と外筒との間のがたつきにより、内筒と外筒との接触に伴う金属接触音が発生する。このような金属接触音は、施工現場の周辺住民とって、非常に耳障りな騒音である。しかも、内筒と外筒とが相互に接触することで、両者の接触面に変形や損壊が生じる。
【００１１】
一方、内筒のスライド移動を確実に規制するため、蝶ネジをきつく締めた場合、ネジ先端部が内筒に強く圧接することにより、内筒の表面に変形や損壊が生じることとなる。
【００１２】
加えて、ネジ単純圧接型の場合、外筒の表面には、蝶ネジを螺着するためのナットが固定されているから、見た目が悪くなるとともに、このナットの分だけ高背化した突出部分に、作業員の衣服や装備等が引っかかり、転落事故が発生する危険性が高い。
【特許文献１】特開平１１−６２２１６号公報
【特許文献２】特開平９−１７８０４６号公報
【発明の開示】
【発明が解決しようとする課題】
【００１３】
本発明の課題は、内筒と外筒との間の連結強度を向上し、内筒体のスライド移動を確実に規制することができる仮設足場部材、及び、これを用いた仮設足場装置を提供することである。
【００１４】
本発明のもう１つの課題は、具体的な施工条件に応じて長さ寸法を自在に調節することができる仮設足場部材、及び、これを用いた仮設足場装置を提供することである。
【００１５】
本発明の更にもう一つの課題は、変形や損壊などのダメージを回避することができる仮設足場部材、及び、これを用いた仮設足場装置を提供することである。
【００１６】
本発明の更にもう一つの課題は、止め螺子の突出部分を低背化することにより、作業員の衣服や装備等が止め螺子に引っかかる危険性をさらに低減し、作業員の転落事故の発生を回避することができるとともに、見た目も良い仮設足場部材、及び、これを用いた仮設足場装置を提供することである。
【００１７】
本発明の更にもう一つの課題は、止め螺子を締め忘れても、内筒体が外筒体から抜け落ちることのない仮設足場部材、及び、これを用いた仮設足場装置を提供することである。
【課題を解決するための手段】
【００１８】
上述した課題を解決するため、本発明に係る仮設足場部材は、内筒体と、外筒体とを有する。内筒体は、外筒体の内部にスライド可能に挿入されているから、内筒体を外筒体からスライドさせることにより、具体的な施工条件に応じて長さ寸法を調節することができる。
【００１９】
本発明に係る仮設足場部材は、内筒体が、外筒体の内部にスライド可能に挿入されている基本的構成を前提として、内筒体のスライド移動を規制するための構造に工夫を加えた点に特徴の１つがある。
【００２０】
すなわち、本発明に係る仮設足場部材において、外筒体は、筒壁を貫通する貫通孔を有している。内筒体はガイド溝を有し、このガイド溝は、内筒体の長手方向に沿って伸び、筒壁の内外に開口している。圧接体は、止め螺子を螺着可能な螺子溝を有し、内筒体の内部に配置されている。止め螺子は、外筒体の貫通孔から、ガイド溝を通って、圧接体に螺着されている。
【００２１】
上述した本発明に係る仮設足場部材のスライド移動規制構造において、まず、止め螺子は、内筒体を任意の長さ寸法に伸縮させた後に締められるから、内筒体の長さ寸法を無段階で調節することができる。
【００２２】
次に、止め螺子を締めることにより、圧接体が内筒体の内周面に圧接する。即ち、内筒体は、圧接体と、止め螺子とによって、内外両面側から挟持される。従って、本発明に係るスライド移動規制構造によると、構造的に優れた連結強度を有し、内筒体のスライド移動を確実に規制することができる。
【００２３】
内筒体の挟持構造について、さらに詳細に説明すると、止め螺子を締めて、圧接体を内筒体の内周面に圧接させることにより、この被圧接部分でみた内筒体の外周面側が、外筒体の内周面に接触する。即ち、内筒体は、圧接体と、外筒体とによって直接挟持される部分の内外両面側に接触面を有し、この２つの接触面でそれぞれ生じる摩擦を利用してスライド移動が規制されている。従って、蝶ネジの先端部でしか摩擦力が発生しないネジ単純圧接型と比較して、内筒体に加えられる摩擦力（連結強度）を飛躍的に向上させることができる。
【００２４】
また、内筒体は、筒壁の内外両側の接触面に生じる摩擦を利用してスライド移動が確実に規制されているから、内筒体と外筒体との間でがたつきは生じない。従って、がたつきに起因する変形や損壊の問題が解消されるとともに、金属接触音の発生も防止できる。
【００２５】
しかも、内筒体の接触面に加えられる摩擦は、圧接体と、外筒体とによって直接挟持される部分の内外両側に分散して生じるから、従来のネジ単純圧接型の場合とは異なり、一接触面あたりの圧力を低減することができる。従って、内筒体に変形や損壊が生じる不都合を回避することができる。
【００２６】
また、止め螺子は、外筒体の貫通孔から、ガイド溝を通って、圧接体に螺着されている。この構造によると、外筒体の筒壁上には、止め螺子の螺子頭が存在するだけであるから、止め螺子の突出部分が低背化されている。従って、作業員の衣服や装備等が止め螺子に引っかかる危険性をさらに低減し、作業員の転落事故の発生を回避することができるとともに、見た目が良くなる。
【００２７】
一方、止め螺子を緩めることにより、内筒体に対する圧接体の圧接状態が解除され、内筒体を長手方向にスライド移動させることが可能となる。ここで、止め螺子は、内筒体の長手方向に沿って伸びるガイド溝を通って、圧接体に螺着されているから、内筒体を外筒体からスライドさせる場合、ガイド溝に沿って安定して伸縮させることができる。
【００２８】
さらに、仮設足場部材の好ましい態様において、内筒体は、係止片を有しており、この係止片は、内筒体の長手方向の一端側において、筒壁の内周面に突出している。この構成によると、仮に止め螺子を締め忘れた場合であっても、内筒体は、外筒体から抜け出るスライド移動中に、圧接体が係止片に突き当たるから、内筒体が外筒体から抜け落ちる脱落事故が防止される。
【００２９】
上述した仮設足場部材は、例えば、足場用手すり、又は、足場用ブラケットなどであって、足場支柱などと組み合わされて仮設足場装置を構成する。本発明に係る仮設足場装置において、仮設足場部材は、足場支柱に結合されている。
【００３０】
この構成によると、上述した仮設足場部材の利点をすべて有する仮設足場装置を提供することができる。例えば、仮設足場部材は、構造的に優れた連結強度を有するから、仮設足場装置にがたつきは生ぜず、作業員の転落事故の危険性を低減することができる。
【００３１】
本発明の他の目的、構成及び利点については、添付図面を参照し、更に詳しく説明する。添付図面は、単に、例示に過ぎない。
【発明の効果】
【００３２】
以上述べたように、本発明によれば、次のような効果を得ることができる。
（１）内筒と外筒との間の連結強度を向上し、内筒体のスライド移動を確実に規制することができる仮設足場部材、及び、これを用いた仮設足場装置を提供することができる。
（２）具体的な施工条件に応じて長さ寸法を自在に調節することができる仮設足場部材、及び、これを用いた仮設足場装置を提供することができる。
（３）変形や損壊などのダメージを回避することができる仮設足場部材、及び、これを用いた仮設足場装置を提供することができる。
（４）止め螺子の突出部分を低背化することにより、作業員の衣服や装備等が止め螺子に引っかかる危険性をさらに低減し、作業員の転落事故の発生を回避することができるとともに、見た目も良い仮設足場部材、及び、これを用いた仮設足場装置を提供することができる。
（５）止め螺子を締め忘れても、内筒体が外筒体から抜け落ちることのない仮設足場部材、及び、これを用いた仮設足場装置を提供することができる。
【発明を実施するための最良の形態】
【００３３】
図１は本発明の一実施形態に係る仮設足場部材の斜視図、図２は図１に示した仮設足場部材の一部を破断して示す正面断面図、図３は図１及び図２に示した仮設足場部材の分解構造図、図４は図３に示した内筒体の底面図である。図１乃至図４に示す仮設足場部材の実施形態は、所謂手すりであって、外筒体１０と、内筒体２０と、圧接体３０と、止め螺子４０とを有する。
【００３４】
外筒体１０は、筒壁１１上に、第１の貫通孔１３と、第２の貫通孔１４とを有している。まず、筒壁１１は、鉄などの金属材料でなる断面丸形の中空パイプ状体であって、好ましくは、表面に防錆、耐腐食のための保護膜（例えば亜鉛メッキ膜）が形成されている。
【００３５】
第１の貫通孔１３は、外筒体１０の長手方向Ｌの一端側において、筒壁１１の上面に配置されている。第２の貫通孔１４は、長手方向Ｌの一端側において、筒壁１１の下面に配置されており、第１の貫通孔１３と、長手方向Ｌに直交する径方向Ｗに向かい合っている。
【００３６】
さらに、外筒体１０は、掛止部１５を有している。掛止部１５は、外筒体１０の長手方向Ｌの他端に、一体的に結合されており、表面に防錆、耐腐食のためのメッキ膜が形成されている。図１乃至図４に示す掛止部１５は、足場支柱のソケット部などに嵌入可能な楔状部分を有するものであるが、必ずしもこれに限定されない。例えば、掛止部１５としては、楔状部分の内部に可動片を有するもの（例えば、図１２及び図１３参照）や、さらには掛止フックやクランプなどを用いることもできる。
【００３７】
内筒体２０は、筒壁２１上に、ガイド溝２２と、係止片（ストッパー）２３と、貫通孔２４とを有している。まず、筒壁２１は、鉄などの金属材料でなる断面丸形の中空パイプ状体であって、好ましくは、表面に防錆、耐腐食のための亜鉛電気メッキ膜が形成されている。筒壁２１は、筒壁１１より小径であって、一端側から外筒体１０の内部に、無段階スライド可能に挿入されている。
【００３８】
ガイド溝２２は、筒壁２１の下面において、内筒体２０の長手方向Ｌに沿って伸び、筒壁２１の内外に開口している。図１乃至図４に示すガイド溝２２は、好ましくは、長手方向Ｌの一端で開放され（開放端２２１）、他端付近で閉鎖（閉鎖端２２２）されている。ガイド溝２２の一端側が開放端２２１となっている構成によると、後述する圧接体３０を止め螺子４０に螺着した状態で、開放端２２１から内筒体２０の内部に案内することが容易になる。
【００３９】
係止片２３は、長手方向Ｌの一端側において、筒壁２１の内周面に配置されている。具体的に、図１乃至図４に示す係止片２３は、ガイド溝２２の周縁の一部に対して、径方向Ｗに切り込みを入れたものであって、この切り込みの先端部が、内筒体２０の内部空間に向かって立ち上がっている。係止片２３は、図１乃至図４に示した縮小状態から、内筒体２０をスライド移動させた場合の終点となり、仮設足場部材の最大長さ寸法を規制する。
【００４０】
貫通孔２４は、長手方向Ｌの一端側において、筒壁２１の上面に配置されており、ガイド溝２２の領域内であって、径方向Ｗに向かい合う位置に開口されている。
【００４１】
さらに、内筒体２０は、掛止部２５を有している。掛止部２５は、内筒体２０の長手方向Ｌの他端に、一体的に結合されており、表面に防錆、耐腐食のためのメッキ膜が形成されている。図１乃至図４に示す掛止部２５は、足場支柱のソケット部などに嵌入可能な楔状部分を有するものであるが、必ずしもこれに限定されない。例えば、掛止部２５としては、楔状部分の内部に可動片を有するもの（例えば、図１２及び図１３参照）や、さらには掛止フックやクランプなどを用いることもできる。
【００４２】
圧接体３０は、内筒体２０より小径の円柱状体であり、内部に止め螺子４０を嵌合可能な螺子溝３１を有し、両端面が内筒体２０の長手方向Ｌに向くような姿勢で、内筒体２０の内部に配置されている。圧接体３０の具体的構成について、例えば図１乃至図４では、適当な長さに切断したパイプ体に対して、径方向Ｗに向かい合う２つの貫通孔３３、３４を設け、この径方向Ｗに沿って、パイプ体の内部にナット３１を溶着したものでなる。
【００４３】
止め螺子４０は、例えばボルトであって、外筒体１０の第２の貫通孔１４から、ガイド溝２２を通って、圧接体３０の螺子溝３１（ナット３１）に螺着されている。
【００４４】
図１乃至図４に示した仮設足場部材は、内筒体２０を外筒体１０に収納した縮小状態を示した実施形態であり、止め螺子４０の棒状部分が、ガイド溝２２の閉鎖端２２２に突き当たっている。即ち、閉鎖端２２２は、内筒体２０のスライド移動の始点であって、仮設足場部材の最小長さ寸法を規制しており、内筒体２０が外筒体１０の内部に、過剰に埋没する不都合を防止する。縮小状態でみた仮設足場部材の長さ寸法（最小長さ寸法）は、通常、用途又は種類に応じて、３００〜１２００ｍｍ程度の範囲で設定されている。
【００４５】
さらに、図１乃至図４からは必ずしも明らかではないが、好ましくは、仮設足場部材は、止め螺子４０が締められており、圧接体３０が内筒体２０の内周面に圧接している。即ち、内筒体２０は、圧接体３０と、止め螺子４０とによって、筒壁２１の内外両面側で挟持されている。
【００４６】
内筒体２０の挟持構造について、さらに詳細に説明すると、止め螺子４０を締めて、圧接体３０を内筒体２０の内周面に圧接させることにより、この被圧接部分で見た、筒壁２１の外周面側が、外筒体１０の内周面に接触する。即ち、内筒体２０は、圧接体３０と、外筒体１０とによって直接挟持される部分Ｐの内外両面側に接触面を有し、この２つの接触面でそれぞれ生じる摩擦力を利用してスライド移動が規制されている。
【００４７】
図１乃至図４を参照して説明した仮設足場部材の縮小状態は、止め螺子４０を緩めることにより、圧接体３０の圧接状態が解除され、内筒体２０を長手方向Ｌに伸長させることが可能となる。次に、仮設足場部材の伸長状態について、図５乃至図８を参照して説明する。図５は図１に示した仮設足場部材の伸長状態をしめす斜視図、図６は図５に示した仮設足場部材の一部を破断して示す正面断面図、図７は図６の７−７線に沿った断面図、図８は図６の８−８線に沿った断面図である。図５乃至図８において、図１乃至図４に示した構成部分と同一の構成部分には、同一の参照符号を付す。
【００４８】
図５乃至図８に示した仮設足場部材は、図１乃至図４を参照して説明した仮設足場部材の縮小状態から、内筒体２０を外筒体１０からスライドして伸長させた状態を示した実施形態である。伸長状態でみた仮設足場部材の長さ寸法（最大長さ寸法）は、縮小状態の最小長さ寸法に対応して、４５０〜１８５０ｍｍ程度の範囲で設定されている。
【００４９】
図７を参照すると、仮設足場部材は、内筒体２０の貫通孔２４と、外筒体１０の第１の貫通孔１３、及び、圧接体３０の貫通孔３３、３４とが、重なり合あうように位置あわせすることができる。この構造により、上述した全ての貫通孔１４〜３４が重なり合あう位置で、例えばポンチ等により打撃を加えて止め螺子４０の先端部を変形させ、意図的にバリを出させる加工等をすることにより、止め螺子４０が圧着体３０から脱落する不都合を回避することができる。
【００５０】
図８を参照すると、圧接体３０の一方端面が、係止片２３に突き当たっている。この構造により、内筒体２０のスライド移動の最大距離が規制される。即ち、仮に止め螺子４０を締め忘れた場合であっても、内筒体２０は、外筒体１０から抜け出るスライド移動中に、圧接体３０の一方端面が、係止片２３に突き当たるから、内筒体２０が外筒体１０から抜け落ちる脱落事故が回避される。
【００５１】
さらに、図５乃至図８からは必ずしも明らかではないが、好ましくは、仮設足場部材は、止め螺子４０が締められ、圧接体３０と、止め螺子４０とによって、内筒体２０が挟持されていることにより、伸長状態が確実に維持されている。この圧接体３０と、止め螺子４０とによる挟持構造は、図１乃至図４を参照して説明しているので、省略する。
【００５２】
図１乃至図８を参照して説明した仮設足場部材によると、内筒体２０は、外筒体１０の内部にスライド可能に挿入されているから、内筒体２０を外筒体１０からスライド移動させることにより、具体的な施工条件に応じて長さ寸法を調節することができる。
【００５３】
本発明に係る仮設足場部材は、内筒体２０が、外筒体１０の内部に無段階スライド可能に挿入されている基本的構成を前提として、内筒体２０のスライド移動を規制する構造に工夫を加えた点に特徴の１つがある。
【００５４】
具体的に、図１乃至図８に示した仮設足場部材において、まず、止め螺子４０は、内筒体２０をスライド移動させ、任意の長さ寸法に伸縮させた後に締められるから、内筒体２０の長さ寸法を無段階で調節することができる。
【００５５】
次に、止め螺子４０を締めることにより、圧接体３０が内筒体２０の内周面に圧接する。即ち、内筒体２０は、圧接体３０と、止め螺子４０とによって、内外両面側で挟持されるから、図１乃至図８に示した仮設足場部材のスライド移動規制構造は、構造的に優れた連結強度を有し、内筒体２０のスライド移動を確実に規制することができる。
【００５６】
内筒体２０の挟持構造について、さらに詳細に説明すると、止め螺子４０を締めて、圧接体３０を内筒体２０の内周面に圧接させることにより、この圧接部分でみた内筒体２０の外周面側が、外筒体１０の内周面に接触する。即ち、内筒体２０は、圧接体３０と、外筒体１０とによって直接挟持される部分Ｐの内外両面側に接触面を有し、この２つの接触面でそれぞれ生じる摩擦力を利用してスライド移動が規制されている。従って、蝶ネジの先端部でしか摩擦力が発生しないネジ単純圧接型の場合と比較して、内筒体２０に加えられる摩擦力（連結強度）を飛躍的に向上させることができる。
【００５７】
内筒体２０と外筒体１０との間の連結強度が向上することにより、内筒体２０と外筒体１０との間でのがたつきが解消される。その結果、内筒体２０と外筒体１０との接触に伴う金属接触音の発生、及び、内筒体２０と外筒体１０との接触に伴う変形や損壊が回避される。
【００５８】
内筒体２０に加えられる摩擦力は、圧接体３０と、外筒体１０とによって直接挟持される部分Ｐの内外両面に分散して生じるから、従来のネジ単純圧接型の場合とは異なり、一接触面あたりの圧力を低減することができる。従って、内筒体２０に変形や損壊が生じる不都合を回避することができる。
【００５９】
さらに、止め螺子４０は、第２の貫通孔１４から、ガイド溝２２を通って、圧接体３０に螺着されている。この構造によると、外筒体１０の筒壁上には、止め螺子４０の螺子頭が存在するだけであるから、止め螺子４０の突出部分が低背化されている。従って、作業員の衣服や装備等が止め螺子４０に引っかかる危険性をさらに低減し、作業員の転落事故の発生を回避することができるとともに、見た目が良くなる。
【００６０】
一方、止め螺子４０を緩めることにより、内筒体２０に対する圧接体３０の圧接状態が解除され、内筒体２０を長手方向Ｌにスライド移動させることが可能となる。ここで、止め螺子４０は、内筒体２０の長手方向Ｌに沿って伸びるガイド溝２２を通って、圧接体３０に螺着されているから、内筒体２０を外筒体１０からスライドさせる場合、ガイド溝２２に沿って止め螺子４０が遊動することにより、内筒体２０を安定して伸縮させることができる。
【００６１】
しかも、ガイド溝２２は、一端側に係止片２３を有し、他端側が閉鎖端２２２となっているから、止め螺子４０を圧接体３０に螺着した状態で、このガイド溝２２に沿って内筒体２０を、係止片２３と閉鎖端２２２との範囲内でスライドさせることができる。
【００６２】
図１乃至図８を参照して説明した仮設足場部材は、足場支柱などと組み合わされて、仮設足場装置を構成する。次に、図１乃至図８を参照して説明した仮設足場部材を用いた仮設足場装置について説明する。図９は本発明の一実施形態に係る仮設足場装置の一部を省略して示す斜視図である。図９において、図１乃至図８に示した構成部分と同一の構成部分には、同一の参照符号を付す。
【００６３】
図９を参照すると、本発明の一実施形態に係る仮設足場装置は、仮設足場部材１と、足場支柱６を有する。足場支柱６は、柱部６０と、ソケット部６１とを含む。ソケット部６１は、楔に対応した凹形状を有し、柱部６０の外周に配置されている。仮設足場部材１は、ソケット部６１に、楔状掛止部１５が挿入されることにより、足場支柱６に固定されている。
【００６４】
図９に示した仮設足場装置の構造によると、図１乃至図８を参照して説明した仮設足場部材１の利点をすべて有する仮設足場装置を提供することができる。例えば、仮設足場部材１は、圧接体３０と、止め螺子４０との挟持構造により優れた連結強度を有するから、仮設足場装置に、がたつきは生じない。従って、仮設足場装置の一体性及び安定性が向上し、作業員の転落事故を回避することができる。
【００６５】
一方、ボルトを必要以上にきつく締める必要がなくなるため、仮設足場装置の組立て、及び、解体作業を、容易、且、迅速に行うことができる。
【００６６】
また、外筒体１０の外周面上には、止め螺子４０の螺子頭が存在するだけであるから、見た目が良くなる。しかも、この止め螺子４０は、外筒体１０の下面側に配置されており、外筒体１０の上面及び側面側（通行側）には配置されていないから、作業員の衣服や装備等が止め螺子４０の螺子頭に引っかかる危険性が確実に低減され、転落事故の発生を回避することができる。
【００６７】
図１０は本発明のもう一つの実施形態に係る仮設足場部材１の部分断面図、図１１は図１０に示した内筒体２０の底面図である。図１０及び図１１において、図１乃至図９に示した構成部分と同一の構成部分には、同一の参照符号を付す。
【００６８】
図１乃至図９を参照して説明した仮設足場部材１は、圧接体３０と、止め螺子４０とにより内筒体２０を、筒壁２１の内外で挟持する点に特徴の１つがある。従って、この特徴以外の構成については、様々な具体的態様をとることができる。例えば、図１０及び図１１の実施形態に示したように、ガイド溝２２の一端２２１を閉じた構造とすることにより、係止片２３が必ずしも必要ではなくなる。
【００６９】
また、図示してはいないが、外筒体１０の第１及び第２の貫通孔１３、１４の設置位置によっては、止め螺子４０の螺子頭が、外筒体１０の上面、又は、両側面に来るように配置しても良いし、この止め螺子４０の配置に追従して、ガイド溝２２の設置位置を内筒体２０の上面、又は、両側面に来るように配置変更することもできる。
【００７０】
図１２は本発明の更にもう一つの実施形態に係る仮設足場部材１の斜視図、図１３は図５に示した仮設足場部材１の端部を破断して示す部分断面図である。図１２及び図１３において、図１乃至図１１に示した構成部分と同一の構成部分には、同一の参照符号を付す。
【００７１】
図１２及び図１３に示した仮設足場部材１の特徴は、楔状掛止部１５が可動片１５０を有している点にある。この構造によると、仮設足場部材１は、図１乃至図１１に示した利点をすべて有するとともに、例えば、図９に示したように、仮設足場部材１を足場支柱６に結合する場合に、ソケット部６１と、楔状掛止部１５との結合強度を向上することができるとともに、可動片１５０を操作することにより、仮設足場装置の組立て、及び、解体を容易に行うことができる。
【００７２】
図１４及び図１５は、本発明の更にもう一つの実施形態に係る仮設足場部材１の斜視図である。図１４及び図１５において、図１乃至図１３に示した構成部分と同一の構成部分には、同一の参照符号を付す。
【００７３】
図１４及び図１５に示した仮設足場部材１は、外筒体１０、及び、内筒体２０を、断面角形状の中空パイプ状体で構成した場合の実施形態である。図１４及び図１５に示した仮設足場部材１の実施形態においても、図１乃至図１３を参照して説明した仮設足場部材１の利点をすべて有することができる。
【００７４】
図１６及び図１７は、本発明の更にもう一つの実施形態に係る仮設足場部材１の斜視図である。図１６及び図１７において、図１乃至図１５に示した構成部分と同一の構成部分には、同一の参照符号を付す。
【００７５】
図１４及び図１５に示した仮設足場部材１は、所謂ブラケットであって、図１乃至図１５を参照して説明した基本的構成のほかに、支持部５１と、補強部５２と、支持受け部５３とを含む。これらは、当該技術分野において、周知の構成部分であるから、詳細は省略する。
【００７６】
図１６及び図１７に示した仮設足場部材１は、足場支柱６や、足場布板７などと組み合わされて、仮設足場装置を構成する。次に、図１乃至図８を参照して説明した仮設足場部材１を用いた仮設足場装置について説明する。図１８及び図１９は、本発明の更にもう一つの実施形態に係る仮設足場装置の斜視図である。図１８及び図１９において、図１乃至図１７に示した構成部分と同一の構成部分には、同一の参照符号を付す。
【００７７】
図１８に示す仮設足場装置は、仮設足場部材１と、足場支柱６と、足場布板７を有しており、予め所定の間隔を隔てて立設した２つの足場支柱６、6の間に、仮設足場部材１を配置し、掛止部１５をソケット部６１に差し込みして両者を結合固定する。この仮設足場部材１に対して、さらに足場布板７を配置し、掛止フック７１を外筒体１０に連結する。なお、図１８に示した仮設足場部材１は、踏み面７０の幅寸法に応じて、内筒体２０のスライド移動が最小値となった縮小状態となっている。図１８に示す仮設足場部材１の最小長さ寸法は、縮小状態で、およそ３００〜１２００ｍｍ程度に設定することができる。
【００７８】
一方、図１９に示した仮設足場部材１は、踏み面７０の幅寸法に応じて、内筒体２０のスライド移動が最大値となった伸長状態となっている。図１９に示した仮設足場部材１の最大長さ寸法は、伸長状態で、およそ４５０〜１８５０ｍｍ程度に設定することができる。
【００７９】
図１８及び図１９に示した仮設足場部材１は、所謂ブラケットであるから、載置される足場布板７の幅寸法に合わせて内筒体２０をスライドさせることにより、長さ寸法を調節する。この構成によると、具体的な施工条件に応じて長さ寸法を自在に調節することができ、施工効率の向上が図られる。
【００８０】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００８１】
【図１】本発明の一実施形態に係る仮設足場部材の斜視図である。
【図２】図１に示した仮設足場部材の一部を破断して示す正面断面図である。
【図３】図１及び図２に示した仮設足場部材の分解構造図である。
【図４】図３に示した内筒体の底面図である。
【図５】図１に示した仮設足場部材の伸長状態をしめす斜視図である。
【図６】図５に示した仮設足場部材の一部を破断して示す正面断面図である。
【図７】図６の７−７線に沿った断面図である。
【図８】図６の８−８線に沿った断面図である。
【図９】本発明の一実施形態に係る仮設足場装置の一部を省略して示す斜視図である。
【図１０】本発明のもう一つの実施形態に係る仮設足場部材の部分断面図である。
【図１１】図１０に示した内筒体の底面図である。
【図１２】本発明の更にもう一つの実施形態に係る仮設足場部材の斜視図である。
【図１３】図５に示した仮設足場部材の端部を破断して示す部分断面図である。
【図１４】本発明の更にもう一つの実施形態に係る仮設足場部材の斜視図である。
【図１５】本発明の更にもう一つの実施形態に係る仮設足場部材の斜視図である。
【図１６】本発明の更にもう一つの実施形態に係る仮設足場部材の斜視図である。
【図１７】本発明の更にもう一つの実施形態に係る仮設足場部材の斜視図である。
【図１８】本発明の更にもう一つの実施形態に係る仮設足場装置の斜視図である。
【図１９】本発明の更にもう一つの実施形態に係る仮設足場装置の斜視図である。
【符号の説明】
【００８２】
１            仮設足場部材
１０          外筒体
１１          筒壁
１３、１４    第１、第２の貫通孔
２０          内筒体
２１          筒壁
２２          ガイド溝
２３          係止片
２４          貫通孔
３０          圧接体
４０          止め螺子
６            足場支柱
７            足場布板
Ｌ            長手方向
【図１】
2008025227.tif 000003
【図２】
2008025227.tif 000004
【図３】
2008025227.tif 000005
【図４】
2008025227.tif 000006
【図５】
2008025227.tif 000007
【図６】
2008025227.tif 000008
【図７】
2008025227.tif 000009
【図８】
2008025227.tif 000010
【図９】
2008025227.tif 000011
【図１０】
2008025227.tif 000012
【図１１】
2008025227.tif 000013
【図１２】
2008025227.tif 000014
【図１３】
2008025227.tif 000015
【図１４】
2008025227.tif 000016
【図１５】
2008025227.tif 000017
【図１６】
2008025227.tif 000018
【図１７】
2008025227.tif 000019
【図１８】
2008025227.tif 000020
【図１９】
2008025227.tif 000021